(57)【要約】      （修正有）【課題】人形劇で出番待ちの人形が邪魔にならず、複雑な人形の動作を可能とすることができ、加えて、物語の進行に伴って、どの位置にどの順番で人形を登場させるかが分かり易い人形劇用具を提供する。【解決手段】人形劇用具は、人形劇で使用するボード３とボードに貼着、剥離するための人形５とからなり、ボードは、板材と、板材の両面に、繊毛を有する布を備え、人形は、ボードの両面に貼着、剥離可能な面ファスナー５１１を有する。人形は、複数のパーツから構成され、パーツ同士は連結部材５２１、５３１を介して着脱自在に連結されている。【選択図】図１
0003226041.tif 000002
【実用新案登録請求の範囲】
【請求項１】
人形劇で使用するボードと前記ボードに貼着、剥離するための人形とからなる人形劇用具であって、
前記ボードは、板材と、前記板材の両面に、繊毛を有する布を備え、
前記人形は、前記ボードの両面に貼着、剥離可能な面ファスナーを有し、
前記人形は、複数のパーツから構成され、前記パーツ同士は着脱自在に連結していることを特徴とする人形劇用具。
【請求項２】
前記ボードの裏面には、待機している人形を前記ボードの表面のどの位置へ移動させるかを知らせる位置情報、およびどのような順番で人形を登場させるかを知らせる順番情報が記載されていることを特徴とする請求項１に記載の人形劇用具。
【請求項３】
人形の従パーツに、ボードへ固定するための面ファスナーを設けたことを特徴とする請求項１又は２に記載の人形劇用具。
【考案の詳細な説明】
【技術分野】
【０００１】
本考案は、人形をボードに着脱自在に貼着、剥離しながら人形劇を上演することができる人形劇用具に関する。
【背景技術】
【０００２】
従来から、保育園や幼稚園などの幼児を教育する現場では、一枚ずつ絵を見せながら演じ手が物語を語って進めていく、絵本や紙芝居の読み聞かせが行われている。
しかし、絵本や紙芝居は、静止画だけからなるものであり、登場人物の動きや感情などを表現しにくいという側面があった。
そのため、登場人物の動きや感情などを伝わり易くするものとして、繊毛を有する布を張ったスクリーンに、不織布の表面に絵を施した人形を貼着、剥離、移動等させることができるようにしたもの（特許文献１）や、エプロンの表面に人形を貼着、剥離できるようにすると共に、エプロンのポケットから人形が出てくる事ができるようにしたもの（特許文献２）が知られている。
【先行技術文献】
【特許文献】
【０００３】
【特許文献１】特開昭５２−７２４０
【特許文献２】実開昭５８―５６００７
【考案の概要】
【考案が解決しようとする課題】
【０００４】
しかしながら、これらは、人形をスクリーンやエプロンの周辺、例えば、床面や机の上などに待機させておく必要があり、場所をとって邪魔になること、人形自体を貼着、剥離、移動することができるが、人形のパーツごとに動かすことや、人形に色々な道具を組み合わせるなど複雑な動作を表現することはできないといった問題があった。
更に、物語を演じる保育士、幼稚園教諭等にとって、物語の進行に伴って人形をどの位置に配置して行くかということを物語ごとに覚えていくことは、多様な業務をこなす多忙な保育士、幼稚園教諭等にとって負担が大きい。
【０００５】
そこで、本考案の課題は、人形劇で出番待ちの人形が邪魔にならず、複雑な人形の動作を可能とすることができ、加えて、物語の進行に伴って、どの位置にどの順番で人形を登場させるかが分かり易い人形劇用具を提供することにある。
【０００６】
本考案者は、上記課題を解決するために鋭意検討を重ねた。その結果、以下の考案を完成するに至った。
【課題を解決するための手段】
【０００７】
（１）人形劇で使用するボードと前記ボードに貼着、剥離するための人形とからなる人形劇用具であって、
ボードは、板材と、板材の両面に、繊毛を有する布を備え、
人形は、ボードの両面に貼着、剥離可能な面ファスナーを有し、
人形は、複数のパーツから構成され、パーツ同士は着脱自在に連結していることを特徴とする人形劇用具。
（２）ボードの裏面には、待機している人形をボードの表面のどの位置へ移動させるかを知らせる位置情報、およびどのような順番で人形を登場させるかを知らせる順番情報が記されていることを特徴とする（１）の人形劇用具。
（３）人形の従パーツに、ボードへ固定するための面ファスナーを設けた（１）又は（２）の人形劇用具。
【考案の効果】
【０００８】
本考案に係る人形劇用具によれば、人形劇で出番待ちの人形が邪魔にならず、複雑な人形の動作を可能とすることができ、加えて、物語の進行に伴って、どの位置にどの順番で人形を登場させるかが分かり易い場所に人形を待機させることができる。
【図面の簡単な説明】
【０００９】
【図１】本考案の実施例に係る人形劇用具を示す正面図を示す。
【図２】図１に示す実施例のA-A断面図である。
【図３】本考案の実施例に係るボードの背面図を示す。
【図４】図１に示す人形の分解図である。
【考案を実施するための形態】
【００１０】
次に、添付図面を参照して本考案による人形劇用具の実施例を詳細に説明する。本考案による人形劇用具の実施例は、図１に示すように、ボード３と、人形５を含んで構成している。
【００１１】
ボード３は、図２に示すように、板材３１と、板材３１の周囲に張った表面に繊毛を有する布３２から構成している。表面に繊毛を有する布３２は、少なくとも板材の表面、裏面を覆うように張って構成している。表面に繊毛を有する布３２は、面ファスナーと着脱可能に固定することができるものである必要があり、材質はポリエステルが好適である（例えば、トイクロス（登録商標））。面ファスナーを介して人形を貼着、剥離するためである。また、ボード３１は、人形劇を見る者に面する側を表面３２１，その反対側を裏面３２２としている。
【００１２】
本実施例では図１、図２に示すように、象の人形５は、本体部５１と、本体部５１の左上部で連結部材５２１を介して本体部５１に支持される顔部５２と、顔部５２の左下部で連結部材５３１を介して顔部５２に支持される鼻部５３と、から構成している。象の人形５は、ボード３に本体部５１の面ファスナー５１１を介して固定している。なお、図１に示す破線部は、各パーツによって隠れていて見ることができない部分を示しており、それぞれ、面ファスナー５１１，連結部材５２１、５３１を表している。なお、ここでいう人形とは、人間の姿のものだけを指すのではなく、人間以外の動物、植物や架空の生物も含めて、それらの姿に似せて作られた物をいう。
【００１３】
象の人形５は、図４に示すように、本体部５１と、頭部５２と、鼻部５３のパーツから構成している。頭部５２は、連結部材５２１を介して、本体部５１に少なくとも一部を重ねて支持されている。連結部材５２１は、本体部５１の左上に配置したスナップボタン５２１a（オス）と、頭部５２の左下に配置したスナップボタン５２１ｂ（メス）から構成している。このように構成することにより、象の人形５の頭部５２を回動させることができる。また、鼻部５３は、連結部材５３１を介して、頭部５２に少なくとも一部を重ねて支持されている。連結部材５３１は、頭部５２の左下に配置したスナップボタン５３１a（オス）と、鼻部５３の右上に配置したスナップボタン５３１ｂ（メス）から構成している。このように構成することにより、象の人形５の鼻部５２を回動させることができる。象の人形5全体としては、頭部５２や鼻部５３を人形劇において動かすことができるため、登場人物や動植物等の動きや感情などを伝わり易くすることができる。なお、連結部材５２１，５３１としては、スナップボタンに限定されるものではなく、面ファスナー、ホック、スライドファスナー、ボタンなど様々な公知のものを利用することができる。
なお、本体部５１のように、人形５をボード３に固定し、動かすことを目的としないものを主パーツと称し、頭部５２のように主パーツと少なくとも一部を重ねて、動かすことを目的とするものを従パーツ、同様に、鼻部５３のように、従パーツと少なくとも一部を重ねて、動かすことを目的とするものも従パーツと称する。
【００１４】
頭部５２の耳の部分には、面ファスナー５２２を配置してもよい。このようにすることにより、例えば、頭部５２を動かした後に、面ファスナー５２２をとボード３を連結することにより、所定の位置で固定することができるからである。同様に、鼻部５３の先端部分には、面ファスナー５３２を配置してもよい。このようにすることにより、例えば、鼻部５３を動かした後に、面ファスナー５３２をとボード３を連結することにより、所定の位置で固定することができるからである。
【００１５】
ボード３の裏面３２２は、図２に示すように、繊毛を有する布３２が張ってあり、表面３２１と同様に人形５を貼着、剥離をすることができる。人形劇においては、その進行に伴って、人形を登場させることも多い。出番待ちの人形は、ボード３の裏面３２２に貼着しておくことができる。このようにすることにより、出番待ちの人形が邪魔にならない。
【００１６】
ボード３の裏面３２２には、人形５を表面３２１に登場させる位置のちょうど裏側に、待機する人形５の位置情報を記載している。裏面３２２の位置情報は、図３に示すように、丸印の中に人形５を特定できる情報を記載してもよい。例えば、登場する人形が、ウサギ、タヌキ、リス、トリ、ウシの場合、丸印の中にウサギ７a、タヌキ７b、リス７c、トリ７d、ウシ７eのように記載しておいて、人形劇が始まる前に、その位置にウサギ・・・・の人形５を配置しておけば、ボード３の表面３２１のどの位置に人形を配置するかを正確に記憶しておかなくても済み、たとえうろ覚えであっても安心して人形劇を行うことができる。人形５の種類を特定する情報としては、記号、マーク、色などであってもよい。
【００１７】
次に、ボード３の裏面３２２には、人形５を表面３２１にどのような順番で登場させるかを知らせる順番情報を記載している。裏面３２２の順番情報は、図３に示すように、人形の登場の順番がウサギ、タヌキ、リス、トリ、ウシの順番であった場合には、ウサギとタヌキの間に矢印８a、タヌキとリスの間に矢印８b、リスとトリの間に矢印８c、トリとウシとの間に矢印８dのように記載しておく。これによって、人形５の登場する順番を正確に記憶していなくとも済み、たとえうろ覚えであっても安心して人形劇を行うことができる。人形５の登場順番を特定する情報としては、数字、マーク、色などであってもよい。
【００１８】
人形劇用具１の裏面３２２から表面３２１への移動方法について、図３を用いて説明する。人形劇を開始する前に、位置情報に基づいて、ウサギ７a、タヌキ７b、リス７c、トリ７d、ウシ７eの位置に該当する人形５を面ファスナー５１１、５１１・・・・を介して貼着する。順番情報によると、ウサギ、タヌキ、リス、トリ、ウシであるので、最初にウサギをちょうど反対側の表面３２１の位置にウサギを貼着する。これを順次、話の展開により、タヌキ、リス、トリ、ウシの順で、反対側の表面３２１の位置に貼着する。
【００１９】
本考案に係る人形劇用具は、人形劇用具としての使用方法のほかに、知育玩具としても利用することができる。ボードの両面に人形を着脱できるので、片付けの際に幼児が片付けるときも便利である。
【００２０】
ここまで、本考案の好ましい実施例について述べてきたが、本考案は、図面を参照して説明した上述の実施例に限定されるものではなく、多種多様な実施例が考えられる。本考案は、添付の実用新案登録請求の範囲およびその要旨を逸脱することなく、様々な変更や置換が可能であり、あるいは上述の実施例と同等に構成され得ることは当業者にとって明らかである。
【符号の説明】
【００２１】
１      人形劇用具
３      ボード  
３１    板材
３２    繊毛を有する布
３２１  ボードの表面
３２２  ボードの裏面
５      人形
５１    本体部
５１１  面ファスナー
５２    顔部
５２１  連結部材
５２１a  ５３１a  スナップボタン（オス）
５２１b  ５３１b  スナップボタン（メス）
５３    鼻部
５３１  連結部材
【図１】
0003226041.tif 000003
【図２】
0003226041.tif 000004
【図３】
0003226041.tif 000005
【図４】
0003226041.tif 000006
【手続補正書】
【提出日】令和2年1月9日(2020.1.9)
【手続補正１】
【補正対象書類名】実用新案登録請求の範囲
【補正対象項目名】全文
【補正方法】変更
【補正の内容】
【実用新案登録請求の範囲】
【請求項１】
人形劇で使用するボードと前記ボードに貼着、剥離するための人形とからなる人形劇用具であって、
前記ボードは、板材と、前記板材の両面に、繊毛を有する布を備え、
前記人形は、前記ボードの両面に貼着、剥離可能な面ファスナーを有し、
前記人形は、複数のパーツから構成され、前記パーツ同士は連結部材を介して、着脱自在に連結していることを特徴とする人形劇用具。
【請求項２】
前記ボードの裏面には、待機している人形を前記ボードの表面のどの位置へ移動させるかを知らせる位置情報、およびどのような順番で人形を登場させるかを知らせる順番情報が記載されていることを特徴とする請求項１に記載の人形劇用具。
【請求項３】
人形の従パーツに、ボードへ固定するための面ファスナーを設けたことを特徴とする請求項１又は２に記載の人形劇用具。
【手続補正２】
【補正対象書類名】明細書
【補正対象項目名】０００７
【補正方法】変更
【補正の内容】
【０００７】
（１）人形劇で使用するボードと前記ボードに貼着、剥離するための人形とからなる人形劇用具であって、
ボードは、板材と、板材の両面に、繊毛を有する布を備え、
人形は、ボードの両面に貼着、剥離可能な面ファスナーを有し、
人形は、複数のパーツから構成され、パーツ同士は連結部材を介して、着脱自在に連結していることを特徴とする人形劇用具。
（２）ボードの裏面には、待機している人形をボードの表面のどの位置へ移動させるかを知らせる位置情報、およびどのような順番で人形を登場させるかを知らせる順番情報が記されていることを特徴とする（１）の人形劇用具。
（３）人形の従パーツに、ボードへ固定するための面ファスナーを設けた（１）又は（２）の人形劇用具。
【手続補正書】
【提出日】令和2年2月19日(2020.2.19)
【手続補正１】
【補正対象書類名】実用新案登録請求の範囲
【補正対象項目名】全文
【補正方法】変更
【補正の内容】
【実用新案登録請求の範囲】
【請求項１】
人形劇で使用するボードと前記ボードに貼着、剥離するための人形とからなる人形劇用具であって、
前記ボードは、板材と、前記板材の両面に、繊毛を有する布を備え、
前記人形は、前記ボードの両面に貼着、剥離可能な面ファスナーを有し、
前記人形は、複数のパーツから構成され、前記パーツ同士は連結部材を介して、連結していることを特徴とする人形劇用具。
【請求項２】
前記ボードの裏面には、待機している人形を前記ボードの表面のどの位置へ移動させるかを知らせる位置情報、およびどのような順番で人形を登場させるかを知らせる順番情報が記載されていることを特徴とする請求項１に記載の人形劇用具。
【請求項３】
人形の従パーツに、ボードへ固定するための面ファスナーを設けたことを特徴とする請求項１又は２に記載の人形劇用具。
【手続補正２】
【補正対象書類名】明細書
【補正対象項目名】０００７
【補正方法】変更
【補正の内容】
【０００７】
（１）人形劇で使用するボードと前記ボードに貼着、剥離するための人形とからなる人形劇用具であって、
ボードは、板材と、板材の両面に、繊毛を有する布を備え、
人形は、ボードの両面に貼着、剥離可能な面ファスナーを有し、
人形は、複数のパーツから構成され、パーツ同士は連結部材を介して、連結していることを特徴とする人形劇用具。
（２）ボードの裏面には、待機している人形をボードの表面のどの位置へ移動させるかを知らせる位置情報、およびどのような順番で人形を登場させるかを知らせる順番情報が記されていることを特徴とする（１）の人形劇用具。
（３）人形の従パーツに、ボードへ固定するための面ファスナーを設けた（１）又は（２）の人形劇用具。